(57)【特許請求の範囲】
【請求項１】
カラオケ宴会に参加している複数の利用者の利用者ＩＤを取得してグループ登録する手段と、
利用者ＩＤと、楽曲ＩＤ集合と、楽曲ＩＤ集合中の各楽曲ＩＤに付記された採点情報との対応付けを集約したテーブルと、
採点情報は、楽曲中の各区間識別情報に対応する区間別採点値と、楽曲全体の採点結果を含み、
グループ登録された複数の利用者ＩＤごとに、前記テーブルから各利用者ＩＤに対応する楽曲ＩＤ集合を抽出する手段と、
抽出した各利用者ＩＤ対応の各楽曲ＩＤ集合の中から付記された採点結果のよい順にメドレー対象曲として楽曲ＩＤを抽出する手段と、
抽出したメドレー対象曲の複数の楽曲ＩＤについて、付記された区間別採点値中の最高値に対応した区間識別情報を抽出する手段と、
抽出したメドレー対象曲の複数の楽曲ＩＤ・区間識別情報に基づいて、該当する各楽曲の各区間を繋ぎ合わせて演奏する手段と
を備えたカラオケ装置。
【発明の詳細な説明】
【技術分野】
【０００１】
本発明は、グループメドレー作成システムに関し、とくに、複数の利用者が皆で代わる代わる歌唱できるメドレー楽曲を自動的に作成できるシステムに関する。
【背景技術】
【０００２】
カラオケ装置の楽曲でメドレー楽曲とは、アーティストの各持ち歌の一部分、主にサビ部分を抜き取って一曲に納めるものであり、従来は、アーティストのどの曲を使用するかを、カラオケ業者が楽曲を作成する際に選曲していた。
【０００３】
最近では利用者毎にメドレー楽曲を選択できる技術が想到されている。例えば、特許文献１では、利用者が所望の楽曲を選曲してメドレー楽曲を作成する技術が開示されている。また、特許文献２では、利用者ＩＤと歌唱履歴を参照し、楽曲毎に最高得点を記録した区間を繋ぎ合わせ、メドレーを作成する技術が開示されている。
【特許文献１】特開平１０−４９１８０号公報
【特許文献２】特開２０００−１４８１６７号公報
【発明の開示】
【発明が解決しようとする課題】
【０００４】
しかしながら、特許文献１および特許文献２では、利用者が歌唱区間やメドレーとして登録したい楽曲を選択しなければならず、選択するのに時間や手間がかかったり、複数の利用者によるグループでのメドレーを登録することができなかった。そこで本発明は、利用者ＩＤと採点結果を使用し、複数の利用者ＩＤが取得された際に、各利用者の採点上位曲を自動的に抽出し、グループメドレーを作成して演奏可能とすることを目的とする。
【課題を解決するための手段】
【０００５】
この発明の要旨とするところは、分説すると、つぎの事項（１）〜（７）により特定されるものである。
（１）カラオケ宴会に参加している複数の利用者の利用者ＩＤを取得してグループ登録する手段を備えること
（２）利用者ＩＤと、楽曲ＩＤ集合と、楽曲ＩＤ集合中の各楽曲ＩＤに付記された採点情報との対応付けを集約したテーブルを備えること
（３）採点情報は、楽曲中の各区間識別情報に対応する区間別採点値と、楽曲全体の採点結果を含むこと
（４）グループ登録された複数の利用者ＩＤごとに、前記テーブルから各利用者ＩＤに対応する楽曲ＩＤ集合を抽出する手段を備えること
（５）抽出した各利用者ＩＤ対応の各楽曲ＩＤ集合の中から付記された採点結果のよい順にメドレー対象曲として楽曲ＩＤを抽出する手段を備えること
（６）抽出したメドレー対象曲の複数の楽曲ＩＤについて、付記された区間別採点値中の最高値に対応した区間識別情報を抽出する手段を備えること
（７）抽出したメドレー対象曲の複数の楽曲ＩＤ・区間識別情報に基づいて、該当する各楽曲の各区間を繋ぎ合わせて演奏する手段を備えること
【発明の効果】
【００１０】
本発明の請求項１記載のグループメドレー作成システムによれば、利用者ＩＤ取得手段で特定された利用者が歌唱した楽曲の採点結果を、利用者別採点結果管理テーブルにて管理し、複数の利用者ＩＤが特定された場合は、それら利用者をグループ登録することができ、利用者別採点結果管理テーブルで管理された各グループメンバーの楽曲から、予め設定された採点結果の上位所定楽曲を抽出して利用者別抽出管理テーブルにて管理し、それぞれの楽曲の予め設定された歌唱区間を繋ぎ合わせることにより、皆が代わる代わる歌唱できるグループメドレーを自動的に作成することができ、かつ、好みの楽曲や得意とする楽曲をメドレー楽曲とすることで、グループで利用者が来店するカラオケボックスなどで雰囲気を大いに盛り上げるといった効果を奏する。
【実施例１】
【００１５】
図１は、本発明のカラオケシステムを構成するカラオケ装置のブロック構成図である。本実施例におけるカラオケ装置（Ｐ）は、主に中央制御手段（２）と、これに接続される各種機能手段およびハードディスク（ＨＤＤ）（４）などから構成される。ここでカラオケ装置（Ｐ）における各構成要素について説明する。先ず、通信制御手段（１２）は、ＡＤＳＬ回線、ＩＳＤＮ回線、一般回線などのネットワーク通信回線を介して行われるカラオケホスト装置との通信を制御するためのものである。また、利用者ＩＤ取得手段（３）は、利用者ＩＤ（２２）を取得して利用者を特定するものであり、後述するように、例えばＩＤカードＲ／Ｗ（読み取り／書き込み装置）などのインタフェースを使用する。この利用者ＩＤ取得手段（３）によって、一度、その利用者ＩＤをもってログインした利用者が所定の操作処理をした場合、その利用者が特定される。なお、利用者ＩＤ（２２）は、リモコン装置（Ｒ）のフラッシュメモリ（図示省略）とハードディスク（４）の双方に格納することができる。
【００１６】
次に、音声生成プロセスについて説明する。音源（６）は中央制御手段（２）が実行するシーケンサ（１４）の処理によって入力され、デジタルミキサ（７）は音源（６）が発生した複数の楽音信号やカラオケマイク（Ｍ）とＡ／Ｄコンバータ（９）を介して入力された歌唱者の歌唱音声信号を適当なバランスでミキシングする。ミキシングされたデジタル音声信号はサウンドシステム（ＳＳ）（８）に入力される。このサウンドシステム（８）はパワーアンプを備えており、入力されたデジタル信号をアナログ信号に変換して増幅し、スピーカ（ＳＰ）から楽音と歌唱音声信号を放音する。
【００１７】
ハードディスク（４）に記録されている各楽曲コード（２３）に対応づけられた映像データ（２４）は、ＭＰＥＧ形式にエンコードされており、中央制御手段（２）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像に変換して合成回路（１１）に入力し、この合成回路（１１）は、背景映像の映像信号上にテロップや採点ＯＳＤを合成し、合成された映像信号は表示手段（メインモニタ）（Ｄ１）に表示される。
【００１８】
上記した以外に、中央制御手段（２）には、歌唱採点手段（１５）と楽曲採点記録手段（１６）とグループ登録手段（１７）と採点上位曲抽出手段（１８）とグループメドレー作成手段（１９）と抽出楽曲表示手段（２０）が設けられ、ハードディスク（４）には、利用者別採点結果管理テーブル（Ｔ１）と楽曲別メドレー対応歌唱区間管理テーブル（Ｔ２）と利用者別抽出曲管理テーブル（Ｔ３）が記録されている。
【００１９】
前記歌唱採点手段（１５）は、利用者ＩＤを取得した利用者が歌唱した楽曲につき、予め設定された所定歌唱区間毎の歌唱状態を解析し、それぞれの採点値に基づいて当該楽曲全体の採点結果を算出する。楽曲採点記録手段（１６）は、前記利用者ＩＤを取得した任意の利用者が歌唱した楽曲の採点結果を、利用者別採点結果管理テーブル（Ｔ１）に記録する。
【００２０】
なお、歌唱採点手段の採点方式については、従来公知のもので良く、例えば、カラオケマイクから入力された歌唱音声信号を、Ａ／Ｄコンバータによってデジタル波形データに変換し、抽出部にて所定の採点要素の波形データから歌唱周波数データと歌唱音量データを抽出する。この抽出された各データを比較部に入力し、ガイドメロディのリファレンスの周波数データと音量データとを比較して、その差分データを割り出す。また、歌唱音量データとガイドメロディ音量データからは歌唱発音時のタイミングの差分に基づいてリズム差分データを割り出し、これらの差分データの平均値や標準偏差などにも基づき、総じて採点値を算出する。
【００２１】
前記グループ登録手段（１７）は、前記利用者ＩＤ取得手段（３）で複数の利用者ＩＤが特定された場合、それら利用者ＩＤをグループ登録する。採点上位曲抽出手段（１８）は、前記利用者別採点結果管理テーブル（Ｔ１）に記録された採点結果に基づき、各楽曲のメドレーで歌唱する区間を管理する楽曲別メドレー対応歌唱区間管理テーブル（Ｔ２）を参照しながら、前記グループ登録された各利用者のそれぞれの採点結果上位曲を抽出して、メドレーする歌唱区間を利用者別抽出曲管理テーブル（Ｔ３）に記録する。
【００２２】
前記グループメドレー作成手段（１９）は、前記利用者別抽出曲管理テーブル（Ｔ３）に記録された各楽曲の所定歌唱区間を繋ぎ合わせてグループメドレーを作成する。なお、抽出楽曲表示手段（２０）を使用し、作成された構成する各利用者の抽出楽曲一覧情報を、表示手段（Ｄ１）にて表示することも可能である。
【００２３】
そして、リモコン装置（Ｒ）は、楽曲検索機能あるいは、楽曲予約機能を備えた多機能カラオケリモコンであり、このリモコン装置（Ｒ）をもって、利用者は赤外線信号によりカラオケ装置本体に所望の演奏予約コマンドを転送する。例えば、リモコン装置（Ｒ）にて楽曲コードが入力されると、カラオケ楽曲のリクエストであるとして、ＲＡＭ（５）にある予約待ち行列（図示省略）に楽曲コードを演奏予約する。
【００２４】
次に、図２に示すカラオケリモコン装置の外観斜視図と、図３に示す利用者別ログイン・ログアウト指示のインタフェース表示画面にもとづき、各利用者の利用者ＩＤ取得手順について説明する。
【００２５】
図２は、ＧＵＩ操作パネル（Ｒａ）が備えられたリモコン装置（Ｒ）の外観斜視図である。このリモコン装置（Ｒ）は、利用者ＩＤを取得し、当該利用者のログインを特定するためのＩＤカードＲ／Ｗ（３）が付帯されている。このＩＤカードＲ／Ｗ（３）は非接触のＩＣモジュールを搭載したカードを対象とする装置であり、ＩＤカードに紐付けされた利用者ＩＤを特定するものである。もちろん、本実施例の他に、例えば、ＩＣモジュールを携帯電話に内蔵させたＩＣ機能付き携帯電話や、近距離無線通信手段であるBluetooth機構を有する携帯電話、あるいはパスワードの入力装置や指紋や声紋などの生体識別機能による機構の利用者識別手段を利用しても構わない。なお、このカラオケ装置と通信したり、さらには、ＶＰＮ（Virtual Private Network）を介してカラオケホスト装置と通信したりできる。
【００２６】
図３は、本システムにログインするための利用者ＩＤ登録を行う画面である。前記リモコン装置（Ｒ）の利用者ＩＤ所得手段（３）にて利用者がシステムにログインすると、前記ＧＵＩ操作パネル（Ｒａ）に表示される「お客様メンバーズゲート」画面（２２）内に当該利用者の「ゲートボタン」（２２ａ）が形成される。その後、当該利用者は「ゲートボタン」（２２ａ）を選択し歌唱したい楽曲を選択することにより、図１に示す演奏予約手段（１３）は、その楽曲を利用者ＩＤと紐付けして予約楽曲が予約待ち行列に登録され、当該楽曲が演奏される。
【００２７】
次に、図４に示す利用者別採点結果管理テーブルの概略図と、図５に示す利用者ＩＤグループ登録の概略図について説明する。
【００２８】
図４は、利用者別採点結果管理テーブル（Ｔ１）の概略図であり、（ア）は利用者Ａの採点結果、（イ）は利用者Ｂの採点結果、（ウ）は利用者Ｂの採点結果を示し、各利用者が歌唱した楽曲毎の情報を、歌唱採点手段（１５）を利用して、利用者別に楽曲の採点結果を管理するテーブルであり、演奏端末毎あるいはカラオケホスト装置にて管理するものである。該利用者別採点結果管理テーブル（Ｔ１）の構成要素としては、利用者ＩＤを特定する「利用者ＩＤ」フィールド（ｆ１）と、管理するための管理番号を示す「管理番号」フィールド（ｆ２）と、利用者が歌唱した楽曲の曲名を示す「曲名」フィールド（ｆ３）と、その楽曲ＩＤを示す「楽曲コード」フィールド（ｆ４）と、歌唱した楽曲の歌唱区間を示す「歌唱区間」フィールド（ｆ５）と、歌唱採点手段（１５）が採点した歌唱区間毎の採点値を示す「区間毎採点値」フィールド（ｆ６）と、その楽曲全体の採点結果を示す「採点結果」フィールド（ｆ７）などから構成される。
【００２９】
図５は、利用者ＩＤグループ登録の概略図であり、複数の利用者ＩＤが取得された場合、それらの利用者ＩＤをグループ登録できるものであり、その構成要素としては、グループのＩＤを特定する「グループＩＤ」フィールド（ｆ１）と、グループの名称を示す「グループ名称」フィールド（ｆ２）と、利用者ＩＤを管理するための管理番号を示す「管理番号」フィールド（ｆ３）と、グループ登録される利用者のＩＤを示す「利用者ＩＤ」フィールド（ｆ４）からなる。なお、本実施例で、各利用者がログイン時に自動的にグループ形成されるが、任意の利用者が特定の利用者を選択してグループ登録することも可能である。
【００３０】
次に、図６に示す楽曲別メドレー対応歌唱区間管理テーブル（Ｔ２）と、図７および図８に示す利用者別抽出曲管理テーブル（Ｔ３）について説明する。
【００３１】
図６は、楽曲別メドレー対応歌唱区間管理テーブル（Ｔ２）の概略図であり、グループ登録された利用者が歌唱した各楽曲の楽曲コードと、それぞれの楽曲について予めシステムによって設定された各歌唱区間の開始と終了を、演奏開始からの経過時間を１／１００秒単位に刻んで対応付けている。その構成要素としては、利用者が歌唱した楽曲の曲名を示す「曲名」フィールド（ｆ１）と、その楽曲ＩＤを示す「楽曲コード」フィールド（ｆ２）と、メドレーで歌唱する区間を示す「歌唱区間」フィールド（ｆ３）と当該歌唱区間の演奏開始からの経過時間を示す「タイムチャート」フィールド（ｆ４）などからなる。
【００３２】
図７は、利用者別抽出曲管理テーブル（Ｔ３−１）の概略図であり、図４に示した利用者別採点結果管理テーブル（Ｔ１）から、グループ登録された各利用者の採点結果上位曲を抽出し、図６に示した楽曲別メドレー対応歌唱区間管理テーブル（Ｔ２）を参照しながら、メドレーの歌唱区間を指定して記録したものである。その構成要素としては、利用者ＩＤを特定する「利用者ＩＤ」フィールド（ｆ１）と、採点結果の順位を示す「採点順位」フィールド（ｆ２）と、利用者が歌唱した楽曲の曲名を示す「曲名」フィールド（ｆ３）と、その楽曲ＩＤを示す「楽曲コード」フィールド（ｆ４）と、メドレーで歌唱する区間を示す「歌唱区間」フィールド（ｆ５）などからなり、各利用者の所定上位曲が納められている。なお、採点結果の１位と２位のものが選択されているが、グループの人数に対応して頻度順位を変動させることができる。なお、ここでは、採点上位の各楽曲について、システムが予め設定した歌唱区間を抽出するように設定されている。例えば、利用者Ａの「牛丼のうた」については、図６において○印で囲ったシステムの設定した歌唱区間が記録される。
【００３３】
これに対して、採点上位の各楽曲について、当該利用者が最高採点値を得た歌唱区間を抽出して指定するように構成してもよい。例えば、同じく利用者Ａの「牛丼のうた」については、図４において○印で囲った区間毎採点値の最高歌唱区間を抽出し、図８に示す利用者別抽出曲管理テーブル（Ｔ３−２）のように、最高採点値を示した歌唱区間を指定して記録する。同様にして、他の楽曲についても、その楽曲における最高採点値を示した歌唱区間をメドレーで歌唱する区間として記録する。
【００３４】
次に、図９は、グループメドレー作成の概略図であり、概略図（ア）は、グループメドレー作成手段を使用し、前記利用者別抽出曲管理テーブル（Ｔ３）で管理されている各利用者の上位所定楽曲を繋ぎ合わせてグループメドレーを作成したものであり、この作成されたグループメドレーの、演奏時の楽曲を示したものが表示画面（イ）である。表示画面（イ）は、グループ名（Ｄａ）と、各利用者の抽出された楽曲の歌詞を表示する歌詞表示部（Ｄｂ）と、現在どの利用者の楽曲がメドレーとして演奏されているかを表示する利用者楽曲表示部（Ｄｃ）からなる。
【００３５】
なお、同図（ア）において、利用者Ａ歌唱区間と利用者Ｂ歌唱区間と利用者Ｃ歌唱区間のそれぞれの歌唱区間の接続部分には、ブリッジ（図示省略）と称される楽曲移行のための間奏が挿入される。また、同図（イ）の表示は歌詞テロップとともに表示するためメインモニタ（Ｄ１）に表示されるが、必要に応じて、リモコン装置（Ｒ）にも同時表示されることもできる。
【００３６】
次に、図１０は、利用者別抽出楽曲の表示画面であり、抽出楽曲表示手段にて前記利用者別抽出曲管理テーブルで管理されている、グループ登録された各利用者の上位所定楽曲を、メインモニタまたはリモコン装置のＬＣＤに表示させたものであり、グループメドレー楽曲リスト（Ｄｅ）にてメドレーに納められている各利用者の楽曲情報が確認できる。この図示例では、グループ登録された各利用者について、採点結果が上位２曲のものが抽出されている。
【００３７】
次に、図１１に示す、本発明に関わる通信カラオケシステムの概念的構成図と、図１２に示す、本発明のシステムに関連するカラオケホスト装置のブロック構成図にもとづき、本発明におけるカラオケ装置とカラオケホスト装置との関係と共に、当該カラオケホスト装置に設けられた、楽曲採点記録手段と利用者別採点結果管理テーブルについて説明する。
【実施例２】
【００３８】
先ず、図１１に示すように、本発明に関する通信カラオケシステムは、主に、カラオケホスト装置（Ｈ）と通信ネットワークを介して接続された多数のカラオケ演奏装置（Ｐ，Ｐ・・・・）からなる。具体的には、先ず、カラオケホスト装置（Ｈ）は、一般公衆電話回線やＡＤＳＬあるいは光通信回線などを利用した通信ネットワークを介して各カラオケ演奏装置（Ｐ，Ｐ・・・・）に接続される。そして、例えば、インターネット（Ｎｉ）を利用したカラオケ事業者が管理するＶＰＮ（Virtual Private Network）を用い、カラオケホスト装置（Ｈ）と各カラオケ演奏装置（Ｐ）がルータ（図示省略）を介して接続され、各ルータは、その内蔵するＤＨＣＰ(Dynamic Host Configuration Protocol)サーバー機能によって、各カラオケ演奏装置（Ｐ，Ｐ・・・・）にＩＰアドレスを割り当て、それらのＭＡＣ（Media Access Control）アドレスと、このＩＰアドレスを対応付けしたテーブルを作成して通信処理をしている。
【００３９】
次に、図１２は、本発明のシステムに関連するカラオケホスト装置のブロック構成図である。カラオケホスト装置（Ｈ）は、通信制御インタフェース（３０）を利用しカラオケ装置（Ｐ）と通信を行い、中央制御手段（３１）における楽曲採点記録手段（３２）の指示により、ハードディス（ＨＤＤ）（３３）には、前記したカラオケ装置と同様に、利用者別採点結果管理テーブル（Ｔ１）が設けられている。また、カラオケホスト装置（Ｈ）より保存したデータを各カラオケ装置（Ｐ，Ｐ・・・・）にダウンロードすることが可能である。これによりカラオケホスト装置（Ｈ）にネットワーク接続された如何なるカラオケ装置（Ｐ，Ｐ・・・・）からも情報を収集できると共に、如何なるカラオケ装置（Ｐ，Ｐ・・・・）へもカラオケホスト装置（Ｈ）に収集された情報を還元することにより、どこのカラオケ装置（Ｐ，Ｐ・・・・）からでも同じサービスが受けられるといった効果を奏する。
【００４０】
以上、説明したように、本発明のグループメドレー作成システムによれば、利用者が歌唱した楽曲の採点結果を利用し、複数利用者がグループ登録することにより、各利用者の採点結果上位曲を抽出し、グループメドレーを作成することにより、代わる代わる皆が歌唱できるグループメドレーを自動的に作成でき、グループで利用者が来店するカラオケボックスなどで雰囲気を大いに盛り上げるといった効果を奏する。
【図面の簡単な説明】
【００４１】
【図１】本システムに関連するカラオケ装置のブロック構成図
【図２】カラオケリモコン装置の外観斜視図
【図３】利用者別ログイン・ログアウト指示のインタフェース表示画面の概略図
【図４】利用者別採点結果管理テーブルの概略図
【図５】利用者ＩＤグループ登録の概略図
【図６】楽曲別メドレー対応歌唱区間テーブルの概略図
【図７】利用者別抽出曲管理テーブルの概略図
【図８】利用者別抽出曲管理テーブルの概略図
【図９】グループメドレー作成の概略図
【図１０】利用者別抽出楽曲の表示画面の概略図
【図１１】本発明に関わる通信カラオケシステムの概念的構成図
【図１２】本発明のシステムに関連するカラオケホスト装置のブロック構成図
【符号の説明】
【００４２】
Ｐ      カラオケ装置
２，３１  中央制御手段
３         ＩＤカードＲ／Ｗ（読み取り／書き込み装置）（利用者ＩＤ取得手段）
４，３３       ハードディスク（ＨＤＤ）
１５        歌唱採点手段
１６,３２  楽曲採点記録手段
１７  グループ登録手段
１８  採点上位曲抽出手段
１９        グループメドレー作成手段
２０        抽出楽曲表示手段
Ｔ１      利用者別採点結果管理テーブル
Ｔ２    楽曲別メドレー対応歌唱区間管理テーブル
Ｔ３      利用者別抽出曲管理テーブル
Ｒ        リモコン装置
【図１】
0004642691.tif 000002
【図２】
0004642691.tif 000003
【図３】
0004642691.tif 000004
【図４】
0004642691.tif 000005
【図５】
0004642691.tif 000006
【図６】
0004642691.tif 000007
【図７】
0004642691.tif 000008
【図８】
0004642691.tif 000009
【図９】
0004642691.tif 000010
【図１０】
0004642691.tif 000011
【図１１】
0004642691.tif 000012
【図１２】
0004642691.tif 000013